(57)【要約】【課題】アンテナカバーの取り付け構造を簡略化できる電子機器を提供できる。【解決手段】電子機器は、ディスプレイ１５と、ディスプレイ１５の背面を覆う金属製のカバー本体３１と、カバー本体３１の一部に設けられた開口部３２と、開口部３２の近傍に設けられたアンテナ２６と、開口部３２を覆った被覆部３５と、カバー本体３１の内面略全域に重なった重ね代部３６と、を有する樹脂製のアンテナカバー３３と、を具備する。【選択図】図４
2010282493.tif 000002
【特許請求の範囲】
【請求項１】
ディスプレイと、
前記ディスプレイの背面を覆う金属製のカバー本体と、
前記カバー本体の一部に設けられた開口部と、
前記開口部の近傍に設けられたアンテナと、
前記開口部を覆った被覆部と、前記カバー本体の内面略全域に重なった重ね代部と、を有する樹脂製のアンテナカバーと、
を具備することを特徴とする電子機器。
【請求項２】
前記重ね代部は、これを貫通した貫通孔部を有するとともに、この貫通孔部の周囲を取り囲んだ枠形状をなしたことを特徴とする請求項１に記載の電子機器。
【請求項３】
前記アンテナカバーは、前記ディスプレイの四周を支持する支持部を有することを特徴とする請求項２に記載の電子機器。
【請求項４】
前記カバー本体は、前記貫通孔部の内側に嵌る凸部を有することを特徴とする請求項３に記載の電子機器。
【請求項５】
前記ディスプレイの前面を覆うマスクを具備し、
前記アンテナカバーは、前記マスクを保持するための保持部を有することを特徴とする請求項４に記載の電子機器。
【請求項６】
前記カバー本体とは独立に設けられる本体ユニットと、
前記カバー本体と前記本体ユニットとの間の位置に設けられるとともに、前記本体ユニットに対して前記カバー本体を回転可能に支持するヒンジ部と、
を具備し、
前記カバー本体は、前記ヒンジ部が取り付けられる取付部を有するとともに、前記アンテナカバーは、前記取付部を露出させる切欠部を有することを特徴とする請求項５に記載の電子機器。
【請求項７】
前記重ね代部は、これを貫通した複数の貫通孔部を有するとともに、この複数の貫通孔部の周囲をそれぞれ取り囲んだ格子形状をなしたことを特徴とする請求項１に記載の電子機器。
【請求項８】
前記カバーは、前記ディスプレイの四周を支持する支持部を有することを特徴とする請求項７に記載の電子機器。
【請求項９】
前記アンテナカバーは、前記複数の貫通孔部の内側に嵌る複数の凸部を有することを特徴とする請求項８に記載の電子機器。
【請求項１０】
前記ディスプレイの前面を覆うマスクを具備し、
前記カバーは、前記マスクを保持するための保持部を有することを特徴とする請求項９に記載の電子機器。
【請求項１１】
前記カバー本体とは独立に設けられる本体ユニットと、
前記カバー本体と前記本体ユニットとの間の位置に設けられるとともに、前記本体ユニットに対して前記カバー本体を回転可能に支持するヒンジ部と、
を具備し、
前記カバー本体は、前記ヒンジ部が取り付けられる取付部を有するとともに、前記アンテナカバーは、前記取付部を露出させる切欠部を有することを特徴とする請求項１０に記載の電子機器。
【発明の詳細な説明】
【技術分野】
【０００１】
本発明は、アンテナカバーを備えた電子機器に関する。
【背景技術】
【０００２】
液晶ディスプレイの金属製のカバーに、樹脂製のアンテナカバーを取り付けたポータブルコンピュータが開示されている。このポータブルコンピュータは、液晶ディスプレイと、この周囲を取り囲んだカバーと、カバーの一部に設けられた開口部と、カバー上で開口部の近傍に設けられたアンテナ素子と、開口部を塞ぐように設けられたアンテナカバーと、を備えている。アンテナカバーは、カバーに取り付けるための取付部となる突起を有している。カバーは、開口部の近傍に、突起が嵌め入れられる溝を有している。
【０００３】
アンテナカバーは、突起に熱を加えて突起を溝の周囲に溶着させることで、カバーの開口部に固定される（例えば、特許文献１参照）。
【先行技術文献】
【特許文献】
【０００４】
【特許文献１】特開２００８−３７１４号公報
【発明の概要】
【発明が解決しようとする課題】
【０００５】
しかしながら、上記従来のポータブルコンピュータでは、アンテナカバーを取り付けるために突起および溝を設ける必要があり、アンテナカバーの周囲の構造が複雑になっていた。
【０００６】
本発明の目的は、アンテナカバーの取り付け構造を簡略化できる電子機器を提供することにある。
【課題を解決するための手段】
【０００７】
前記目的を達成するため、本発明の一つの形態に係る電子機器は、ディスプレイと、前記ディスプレイの背面を覆う金属製のカバー本体と、前記カバー本体の一部に設けられた開口部と、前記開口部の近傍に設けられたアンテナと、前記開口部を覆った被覆部と、前記カバー本体の内面略全域に重なった重ね代部と、を有する樹脂製のアンテナカバーと、を具備する。
【発明の効果】
【０００８】
上記の構成によれば、アンテナカバーの取り付け構造を簡略化できる電子機器を提供できる。
【図面の簡単な説明】
【０００９】
【図１】第１の実施形態に係るポータブルコンピュータを示す斜視図。
【図２】図１に示すポータブルコンピュータのマスクおよびディスプレイを取り外した状態を示した斜視図。
【図３】図２に示すポータブルコンピュータの表示ユニットを示した平面図。
【図４】図３に示す表示ユニットを分解して示した側面図。
【図５】図３に示す表示ユニットのカバー本体を示した平面図。
【図６】図３に示す表示ユニットのアンテナカバーを示した平面図。
【図７】図２に示す表示ユニットの一方のヒンジ部および取付部周りを拡大して示した斜視図。
【図８】図２に示す表示ユニットの他方のヒンジ部および取付部周りを拡大して示した斜視図。
【図９】第２の実施形態に係るポータブルコンピュータの表示ユニットを示す平面図。
【発明を実施するための形態】
【００１０】
以下に、図１から図８を参照して、電子機器の第１の実施形態について説明する。本明細書において、手前側（即ちユーザ側）を前方向Ｆ、ユーザから見て奥側を後方向Ｒ、ユーザから見て左側を左方向、ユーザから見て右側を右方向、ユーザから見て上方を上方向、ユーザから見て下方を下方向と定義する。
【００１１】
図１に示すように、電子機器の一例であるポータブルコンピュータ１１は、本体ユニット１２と、表示ユニット１３と、本体ユニット１２と表示ユニット１３との間に設けられるヒンジ部１４と、を備えている。ヒンジ部１４は、表示ユニット１３を回転可能に支持している。表示ユニット１３は、図２に示すように本体ユニット１２に対して起立した第１の位置Ｐ１と、本体ユニットに対して平行になるようにこれに被さった第２の位置と、の間で回転することができる。図２では、ディスプレイ１５およびマスク１６を取り外した状態を示している。
【００１２】
図１、図２に示すように、本体ユニット１２は、例えば、金属によって形成される本体キャビネット２１と、本体キャビネット２１の上面に取り付けられたキーボード２２およびタッチパッド２３と、本体キャビネット２１の内部に収容されたプリント回路板２４と、を有している。プリント回路板２４は、これに実装されるＣＰＵなどの回路部品を有している。
【００１３】
図３と図４に示すように、表示ユニット１３は、ディスプレイ１５と、ディスプレイ１５の周囲を取り囲むディスプレイキャビネット２５と、ディスプレイキャビネット２５の内部に設けられる複数のアンテナ２６と、を有している。ディスプレイ１５の一例として、本実施形態では、液晶ディスプレイが搭載されている。
【００１４】
複数のアンテナ（アンテナ回路基板）２６は、Ｂｌｕｅｔｏｏｔｈ（登録商標）や無線ＬＡＮ、無線ＷＡＮ、ＷｉＭＡＸ、ＵＷＢ、またはＧＰＳのような通信方式、或いは３Ｇや３．５Ｇのような携帯電話方式といった各方式にそれぞれ対応する。複数のアンテナ２６は、後述する開口部３２の近傍に設けられている。複数のアンテナ２６は、後述するアンテナカバー３３の内面に横並びに接着されている。
【００１５】
ディスプレイキャビネット２５は、ディスプレイ１５の前面を覆う例えば合成樹脂製のマスク１６と、ディスプレイ１５の背面を覆う金属製のカバー本体３１と、カバー本体３１の一部に設けられた開口部３２と、カバー本体３１の内面に密着して設けられた合成樹脂製のアンテナカバー３３と、を有している。マスク１６は、その中央部に方形の開口を有しており、開口を介してディスプレイ１５を外部に露出させている。
【００１６】
図５に示すように、カバー本体３１は、例えば、マグネシウム合金を用いたマグネシウムダイカストによって形成されている。カバー本体３１は、マグネシウム合金を鋳造するものに限定されるものではなく、例えば、アルミニウム合金を用いたアルミニウムダイカストで形成したり、アルミニウム合金等の板材からプレス加工して折り曲げて形成したりしてもよい。カバー本体３１は、後述するアンテナカバー３３の貫通孔部３７の内側に嵌る方形の凸部３１Ａを有している。
【００１７】
アンテナカバー３３は、例えば、接着剤を介してカバー本体３１に接着されており、開口部３２を覆っている。アンテナカバー３３は、開口部３２を覆った被覆部３５と、カバー本体３１の内面略全域に重なった重ね代部３６と、を有している。重ね代部３６は、方形の枠状に形成されている。重ね代部３６は、その中央部に方形の貫通孔部３７を有している。重ね代部３６は、さらに、ディスプレイ１５の四周を支持するための支持部４１と、マスク１６を保持するための保持部４２と、カバー本体３１の取付部４３に対応する位置に設けられる切欠部４４と、を有している。
【００１８】
切欠部４４は、ヒンジ部１４の近傍に位置するアンテナカバー３３の２つの角部に形成されている。取付部４３は、切欠部４４を介してディスプレイキャビネット２５の内面側に露出されている。図７、図８に示すように、取付部４３には、ねじ５０を介してヒンジ部１４が固定されている。
【００１９】
支持部４１は、ディスプレイ１５の四辺に沿った位置に、複数の支持台４５を有している。支持台４５は、それぞれ例えば断面略「Ｌ」字形に形成されており、ディスプレイ１５に沿った方向に延びた底壁４６と、底壁４６からディスプレイ１５の端面に沿った方向に延びた縦壁４７と、を有している。この底壁４６のディスプレイ１５に対向する面と、縦壁４７のディスプレイ１５に対向する面と、にそれぞれ緩衝部材４８が配置されている。緩衝部材４８は、ディスプレイ１５と、支持台４５との間に介在されている。緩衝部材４８は、例えばスポンジで構成されている。支持部４１は、支持台４５および緩衝部材４８を介してディスプレイ１５をフローティング状態で支持することができる。
【００２０】
保持部４２は、マスク１６を固定するためのねじが固定される複数の雌ねじ部５１と、マスク１６が突き当てられてマスク１６が支持される複数の支持リブ５２と、マスク１６を引っ掛けて保持するための複数の爪部５３と、を有している。雌ねじ部５１は、アンテナカバー３３の被覆部３５に横並びに配置されている。支持リブ５２は、ディスプレイ１５の四周に沿って、複数個所に配置されている。爪部５３は、ディスプレイ１５の対向する一対の辺部１５Ａに沿って横並びに配置されている。
【００２１】
続いて、この表示ユニット１３の製造工程について説明する。まず、カバー本体３１を例えばマグネシウム合金の鋳造等によって形成する。同様に、アンテナカバー３３を例えば樹脂等の射出成形等によって形成する。そして、それぞれ個別に製造されたカバー本体３１とアンテナカバー３３とを接着する。このとき、重ね代部３６の貫通孔部３７の内側に、カバー本体３１の凸部３１Ａが嵌るようにする。その際、凸部３１Ａの位置を目安にアンテナカバー３３をカバー本体３１に接着することができる。さらに、アンテナカバー３３の接着された後において、アンテナカバー３３の内面と凸部３１Ａの頂面とは、互いに面一になるように設計されている。このため、これを基準に、接着時及びその後にアンテナカバー３３の浮き上がりの有無を判断し、接着状態の良否を判定することができる。
【００２２】
なお、本実施形態では、カバー本体３１に対してアンテナカバー３３を接着するようにしているが、この製造方法に限定されるものではなく、カバー本体３１をインサート物として金型内に配置し、インサート成形を行ってカバー本体３１にアンテナカバー３３を成形してもよい。
【００２３】
本実施形態によれば、ポータブルコンピュータ１１は、ディスプレイ１５と、ディスプレイ１５の背面を覆う金属製のカバー本体３１と、カバー本体３１の一部に設けられた開口部３２と、開口部３２の近傍に設けられたアンテナ２６と、開口部３２を覆った被覆部３５と、カバー本体３１の内面略全域に重なった重ね代部３６と、を有する樹脂製のアンテナカバー３３と、を具備する。
【００２４】
この構成によれば、アンテナカバー３３の重ね代部３６がカバー本体３１の内面全域に重なるようになるため、アンテナカバー３３とカバー本体３１とを広い面積で密着固定することができ、アンテナカバー３３を支持する強度を向上することができる。また、アンテナカバー３３をカバー本体３１に取り付けるために複雑な構造を必要とすることがなく、構造を簡略化することができる。
【００２５】
また、この場合、重ね代部３６は、これを貫通した貫通孔部３７を有するとともに、この貫通孔部３７の周囲を取り囲んだ枠形状をなしている。この構成によれば、重ね代部３６の重量を低減して、アンテナカバー３３全体として軽量化を図ることができる。また、重ね代部３６が枠形状をなしているため、重ね代部３６の強度を維持しつつ、アンテナカバー３３の軽量化を図ることができる。
【００２６】
このとき、アンテナカバー３３は、ディスプレイ１５の四周を支持する支持部４１を有する。一般に、金属の成形品（鋳物）の離型に必要な抜き勾配は、３〜５度の角度であるのに対して、合成樹脂の成形品の離型に必要な抜き勾配の角度は、０．５〜１度である。このため、金属製のカバー本体３１に例えば支持部４１のような細かい構造を設けると、抜き勾配を大きく確保する観点から、支持部４１の一部の面が斜めになる。このため、鋳造後にカバー本体３１に２次的な加工を行って面の角度の補正を行う必要がある。
【００２７】
上記の構成によれば、支持部４１のような細かい構造を金属製のカバー本体３１ではなく、樹脂製のアンテナカバー３３に設けることができる。これによって、支持部４１に対する２次加工を省略することができ、製造工程を簡略化することができる。また、金属製のカバー本体３１の構造を簡略化して、カバー本体３１の歩留りを向上することができる。
【００２８】
この場合、カバー本体３１は、貫通孔部３７の内側に嵌る凸部３１Ａを有する。この構成によれば、カバー本体３１の厚み寸法を大きく確保できるため、カバー本体３１を高剛性なものにすることができる。また、アンテナカバー３３をカバー本体３１から取れ難い構造にすることができる。さらに、カバー本体３１にアンテナカバー３３を接着する際に、凸部３１Ａを目安に位置合わせを行うことができ、組立時の作業性を向上することができる。
【００２９】
このとき、ポータブルコンピュータ１１は、ディスプレイ１５の前面を覆うマスク１６を具備し、アンテナカバー３３は、マスク１６を保持するための保持部４２を有する。この構成によれば、前記支持部４１に加えて、保持部４２のような細かい構造を金属製のカバー本体３１ではなく、樹脂製のアンテナカバー３３に設けることができる。これによって、カバー本体３１に対する２次加工が必要なく、製造工程を簡略化することができる。
【００３０】
この場合、カバー本体３１とは独立に設けられる本体ユニット１２と、カバー本体３１と本体ユニット１２との間の位置に設けられるとともに、本体ユニット１２に対してカバー本体３１を回転可能に支持するヒンジ部１４と、を具備し、カバー本体３１は、ヒンジ部１４が取り付けられる取付部４３を有するとともに、アンテナカバー３３は、取付部４３を露出させる切欠部４４を有する。
【００３１】
この構成によれば、ある程度の剛性が必要となる取付部４３に関しては、金属製のカバー本体３１に設けることができる。これによって、強度不足に起因して、カバー本体３１が破損してしまう事態を防止することができる。
【００３２】
次に、図９を参照して、電子機器の第２の実施形態について説明する。第２の実施形態の電子機器の一例であるポータブルコンピュータ１１は、貫通孔部３７および凸部３１Ａの数が第１の実施形態のものと異なっているが、他の部分は第１の実施形態と共通している。このため、主として異なる部分について説明し、共通する部分については共通の符号を付して説明を省略する。ポータブルコンピュータ１１は、図１に示す第１の実施形態のものと同様の外観を有する。
【００３３】
ディスプレイキャビネット２５は、ディスプレイ１５の前面を覆う例えば合成樹脂製のマスク１６と、ディスプレイ１５の背面を覆う金属製のカバー本体３１と、カバー本体３１の一部に設けられた開口部３２と、カバー本体３１の内面に密着して設けられたアンテナカバー３３と、を有している。カバー本体３１は、例えば、マグネシウムダイカストによって形成されている。カバー本体３１は、例えば、アルミニウム合金等で形成されていてもよい。カバー本体３１は、アンテナカバー３３の複数の貫通孔部３７の内側にそれぞれ嵌る複数の方形の凸部３１Ａを有している。
【００３４】
アンテナカバー３３は、接着剤を介してカバー本体３１に接着されており、開口部３２を覆っている。アンテナカバー３３は、開口部３２を覆った被覆部３５と、カバー本体３１の内面略全域に重なった重ね代部３６と、を有している。重ね代部３６は、格子状に形成されている。重ね代部３６には、格子状に囲まれた部分の内側に、それぞれ方形の貫通孔部３７が設けられている。本実施形態では、貫通孔部３７および凸部３１Ａがそれぞれ４個づつ示されているが、貫通孔部３７および凸部３１Ａの数はこれに限定されるものではなく、これよりも多くても少なくてもよい。
【００３５】
重ね代部３６は、さらに、ディスプレイ１５の四周を支持するための支持部４１と、マスク１６を保持するための保持部４２と、カバー本体３１の取付部４３に対応する位置に設けられる切欠部４４と、を有している。
【００３６】
支持部４１は、ディスプレイ１５の四辺に沿った位置に、複数の支持台４５および緩衝部材４８を有している。支持部４１は、支持台４５および緩衝部材４８を介してディスプレイ１５をフローティング状態で支持することができる。
【００３７】
保持部４２は、マスク１６を固定するためのねじが固定される複数の雌ねじ部５１と、マスク１６が突き当てられてマスク１６が支持される複数の支持リブ５２と、マスク１６を引っ掛けて保持するための複数の爪部５３と、を有している。雌ねじ部５１は、アンテナカバー３３の被覆部３５に横並びに配置されている。支持リブ５２は、ディスプレイ１５の四周に沿って、複数個所に配置されている。爪部５３は、ディスプレイ１５の対向する一対の辺部１５Ａに沿って横並びに配置されている。切欠部４４は、ヒンジ部１４の近傍に位置するアンテナカバー３３の角部に一対に形成されている。取付部４３は、切欠部４４を介してディスプレイキャビネット２５の内面側に露出されている。
【００３８】
第２の実施形態によれば、重ね代部３６は、これを貫通した複数の貫通孔部３７を有するとともに、この複数の貫通孔部３７の周囲をそれぞれ取り囲んだ格子形状をなしている。この構成によれば、重ね代部３６の重量を低減して、アンテナカバー３３全体として軽量化を図ることができる。
【００３９】
また、重ね代部３６が格子形状をなしているため、重ね代部３６の強度を維持しつつ、アンテナカバー３３の軽量化を図ることができる。さらに、カバー本体３１の厚み寸法を大きく確保できるため、カバー本体３１を高剛性なものにすることができる。また、複数の貫通孔部３７の内側に複数の凸部３１Ａが嵌るため、アンテナカバー３３をカバー本体３１から取れ難い構造にすることができる。
【００４０】
電子機器は、上記実施形態に示したポータブルコンピュータ１１用に限らず、例えば携帯電話機のようなその他の電子機器に対しても実施可能である。上記各実施形態では、接着剤を利用してカバー本体３１に対してアンテナカバー３３を接着するようにしているが、例えば溶着等の手段によってカバー本体３１にアンテナカバー３３を固定するようにしてもよい。その他、電子機器は、発明の要旨を逸脱しない範囲で種々変形して実施できることは勿論である。
【符号の説明】
【００４１】
１１…ポータブルコンピュータ、１２…本体ユニット、１４…ヒンジ部、１５…ディスプレイ、１６…マスク、２６…アンテナ、３１…カバー本体、３１Ａ…凸部、３２…開口部、３３…アンテナカバー、３５…被覆部、３６…重ね代部、３７…貫通孔部、４１…支持部、４２…保持部、４３…取付部、４４…切欠部
【図１】
2010282493.tif 000003
【図２】
2010282493.tif 000004
【図３】
2010282493.tif 000005
【図４】
2010282493.tif 000006
【図５】
2010282493.tif 000007
【図６】
2010282493.tif 000008
【図７】
2010282493.tif 000009
【図８】
2010282493.tif 000010
【図９】
2010282493.tif 000011
【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
ディスプレイと、
前記ディスプレイの背面を覆う金属製のカバー本体と、
前記カバー本体の一部に設けられた開口部と、
前記開口部の近傍に設けられたアンテナと、
前記開口部を覆った被覆部と、前記カバー本体の内面略全域に重なった重ね代部と、を有する樹脂製のアンテナカバーと、
を具備することを特徴とする電子機器。
【請求項２】
前記重ね代部は、これを貫通した貫通孔部を有するとともに、この貫通孔部の周囲を取り囲んだ枠形状をなしたことを特徴とする請求項１に記載の電子機器。
【請求項３】
前記アンテナカバーは、前記ディスプレイの四周を支持する支持部を有することを特徴とする請求項２に記載の電子機器。
【請求項４】
前記カバー本体は、前記貫通孔部の内側に嵌る凸部を有することを特徴とする請求項３に記載の電子機器。
【請求項５】
前記ディスプレイの前面を覆うマスクを具備し、
前記アンテナカバーは、前記マスクを保持するための保持部を有することを特徴とする請求項４に記載の電子機器。
【請求項６】
前記カバー本体とは独立に設けられる本体ユニットと、
前記カバー本体と前記本体ユニットとの間の位置に設けられるとともに、前記本体ユニットに対して前記カバー本体を回転可能に支持するヒンジ部と、
を具備し、
前記カバー本体は、前記ヒンジ部が取り付けられる取付部を有するとともに、前記アンテナカバーは、前記取付部を露出させる切欠部を有することを特徴とする請求項５に記載の電子機器。
【請求項７】
前記重ね代部は、これを貫通した複数の貫通孔部を有するとともに、この複数の貫通孔部の周囲をそれぞれ取り囲んだ格子形状をなしたことを特徴とする請求項１に記載の電子機器。
【請求項８】
前記アンテナカバーは、前記ディスプレイの四周を支持する支持部を有することを特徴とする請求項７に記載の電子機器。
【請求項９】
前記カバー本体は、前記複数の貫通孔部の内側に嵌る複数の凸部を有することを特徴とする請求項８に記載の電子機器。
【請求項１０】
前記ディスプレイの前面を覆うマスクを具備し、
前記アンテナカバーは、前記マスクを保持するための保持部を有することを特徴とする請求項９に記載の電子機器。
【請求項１１】
前記カバー本体とは独立に設けられる本体ユニットと、
前記カバー本体と前記本体ユニットとの間の位置に設けられるとともに、前記本体ユニットに対して前記カバー本体を回転可能に支持するヒンジ部と、
を具備し、
前記カバー本体は、前記ヒンジ部が取り付けられる取付部を有するとともに、前記アンテナカバーは、前記取付部を露出させる切欠部を有することを特徴とする請求項１０に記載の電子機器。